(57)【要約】【課題】雨が所定の領域に落下することを抑制するために雨を所定の領域外に効果的に吹き飛ばすことが可能な雨吹き飛ばし方法、及び、雨吹き飛ばし装置を提供する。【解決手段】雨を落下させたくない領域Ｘの上方に、送風方向が上向きに向かい合うように第１送風機１；１を対向させ、互いに向かい合う各第１送風機１；１から送風された風を衝突させることで空気を掻き回しながら空気及び雨粒を舞い上がらせて雨粒を小さくする第１ステップと、第１ステップで小さくした雨粒に第２送風機２からの風を衝突させて雨粒を横方向に飛ばす第２ステップと、を備えたことを特徴とする。【選択図】図１
2017210727.tif 000002
【特許請求の範囲】
【請求項１】
雨を落下させたくない領域の上方に、送風方向が上向きに向かい合うように各第１送風機を対向させ、互いに向かい合う各第１送風機から送風された風を衝突させることで空気を掻き回しながら空気及び雨粒を舞い上がらせて雨粒を小さくする第１ステップと、
第１ステップで小さくした雨粒に第２送風機からの風を衝突させて雨粒を横方向に飛ばす第２ステップと、
を備えたことを特徴とする雨吹き飛ばし方法。
【請求項２】
雨を落下させたくない領域の上方において、送風方向が上向きに向かい合うように設定された各第１送風機と、
互いに向かい合う各第１送風機から互いに衝突するように送風された風により小さくなった雨粒を横方向に吹き飛ばす風を送風する第２送風機と、
を備えたことを特徴とする雨吹き飛ばし装置。
【請求項３】
雨を落下させたくない領域が、真上から見て四角形の４角に位置するように配置された４本の柱配筋で囲まれた領域の下方であるコンクリート打設予定領域であり、
４本の柱配筋の上部において、四角形の互いに対向する一対の辺を形成するように各第１送風機群が設けられるとともに、四角形の残りの一対の辺のうちの一方の一辺を形成するように各第１送風機群の端部側の上面に掛け渡されるように第２送風機群が設けられるか、あるいは、上記各第１送風機群の中央部側の上面に掛け渡されるように第２送風機群が設けられたことを特徴とする請求項２に記載の雨吹き飛ばし装置。
【発明の詳細な説明】
【技術分野】
【０００１】
本発明は、雨が所定の領域に落下することを抑制するために雨を所定の領域外に吹き飛ばす雨吹き飛ばし方法、及び、雨吹き飛ばし装置に関する。
【背景技術】
【０００２】
雨が所定の領域に落下することを抑制するために雨を所定の領域外に飛ばす雨吹き飛ばし装置として、例えば雨天時においてもコンクリート打設作業を行えるようにエアで雨を吹き飛ばすようにしたエア式屋根機構を備えた工事現場用屋根装置が知られている（特許文献１参照）。
【先行技術文献】
【特許文献】
【０００３】
【特許文献１】特開平７−２１７２１９号公報
【発明の概要】
【発明が解決しようとする課題】
【０００４】
しかしながら、上述した雨吹き飛ばし装置としての工事現場用屋根装置では、単にエアで雨を吹き飛ばすという構成であるので、効果的に雨を吹き飛ばすことができなかった。例えば、雨量が多かったり、雨粒が大きかったり、雨の落下速度が速い場合等、効果的に雨を吹き飛ばすためには、高い圧力のエア（圧縮空気）を生成するための高出力の高価なコンプレッサーが必要となり、経済的ではないという課題があった。
本発明は、雨が所定の領域に落下することを抑制するために雨を所定の領域外に効果的に吹き飛ばすことが可能で経済的な雨吹き飛ばし方法、及び、雨吹き飛ばし装置を提供するものである。
【課題を解決するための手段】
【０００５】
本発明に係る雨吹き飛ばし方法は、雨を落下させたくない領域の上方に、送風方向が上向きに向かい合うように各第１送風機を対向させ、互いに向かい合う各第１送風機から送風された風を衝突させることで空気を掻き回しながら空気及び雨粒を舞い上がらせて雨粒を小さくする第１ステップと、第１ステップで小さくした雨粒に第２送風機からの風を衝突させて雨粒を横方向に飛ばす第２ステップと、を備えたので、雨が所定の領域に落下することを抑制するために雨を所定の領域外に効果的に吹き飛ばすことが可能で経済的な雨吹き飛ばし方法を実現できる。
本発明に係る雨吹き飛ばし装置は、雨を落下させたくない領域の上方において、送風方向が上向きに向かい合うように設定された各第１送風機と、互いに向かい合う各第１送風機から互いに衝突するように送風された風により小さくなった雨粒を横方向に吹き飛ばす風を送風する第２送風機と、を備えたので、雨が所定の領域に落下することを抑制するために雨を所定の領域外に効果的に吹き飛ばすことが可能で経済的な雨吹き飛ばし装置を提供できる。
雨を落下させたくない領域が、真上から見て四角形の４角に位置するように配置された４本の柱配筋で囲まれた領域の下方であるコンクリート打設予定領域であり、４本の柱配筋の上部において、四角形の互いに対向する一対の辺を形成するように各第１送風機群が設けられるとともに、四角形の残りの一対の辺のうちの一方の一辺を形成するように各第１送風機群の端部側の上面に掛け渡されるように第２送風機群が設けられるか、あるいは、上記各第１送風機群の中央部側の上面に掛け渡されるように第２送風機群が設けられたので、コンクリートに雨が混入することを防止できて、コンクリートの性能を劣化させることなく、コンクリート打設作業を行うことが可能となる。
【図面の簡単な説明】
【０００６】
【図１】雨吹き飛ばし方法の原理を示す図。
【図２】雨吹き飛ばし装置を上から見た図。
【図３】雨吹き飛ばし装置の具体例を示す斜視図。
【図４】雨吹き飛ばし装置の具体例を側方から見た図。
【発明を実施するための形態】
【０００７】
実施形態に係る雨吹き飛ばし方法は、図１に示すように、雨を落下させたくない領域Ｘの上方に、送風方向が上向きに向かい合うように送風機１；１を対向させ、互いに向かい合う各送風機１；１から送風された風を衝突させることで空気を掻き回しながら空気及び雨粒を舞い上がらせて雨粒を小さくする第１ステップと、第１ステップで小さくした雨粒に上記送風機１とは別の送風機２からの風を衝突させて雨粒を横方向に飛ばす第２ステップとを備えた方法である。
互いに向かい合う各送風機１；１から送風される風の送風方向１Ｆ；１Ｆは、水平面１Ｈに対する傾斜角度が所定角度θをなして上向きに傾斜するように設定される。即ち、各送風機１；１は回転翼（ファン）の回転中心軸が水平面１Ｈに対して所定角度θだけ傾くように所定の取付部に取付けられることで、互いに向かい合う各送風機１；１から送風される風の送風方向１Ｆ；１Ｆが、水平面１Ｈに対して所定角度θをなして上向きに傾斜するように設定される。
互いに向かい合う各送風機１；１は、例えば、雨を落下させたくない領域Ｘの上方における同一水平面１Ｈ上に配置されることが好ましいが、多少の高低差があるように配置されていても構わない。
別の送風機２は、互いに向かい合う各送風機１；１から送風される風が衝突する部位１Ｅ及び当該部位１Ｅの近傍に向けて当該部位１Ｅの横方向から風を送風可能な位置に設置される。別の送風機２は、互いに向かい合う各送風機１；１よりも上方に設置されることが好ましい。
【０００８】
以後、上述した、互いに向かい合う各送風機１；１を第１送風機、別の送風機２を第２送風機という。尚、第１送風機及び第２送風機は、例えばモータにより回転する回転翼の直径が４００ｍｍ〜５００ｍｍ程度の市販されている一般的な送風機を用いればよい。
【０００９】
上述した雨吹き飛ばし方法を適用した雨吹き飛ばし装置は、雨を落下させたくない領域の上方において、送風方向が上向きに向かい合うように設定された各第１送風機１；１と、互いに向かい合う各第１送風機１；１から互いに衝突するように送風された風により小さくなった雨粒を横方向に吹き飛ばす風を送風する第２送風機２と、を備える。
【００１０】
雨吹き飛ばし装置は、例えば、図２に示すように、雨を落下させたくない領域Ｘ（図１参照）を取り囲むように、真上から見て四角形（正方形）の４角に位置するように地上Ａ（図１参照）から４本の柱３；３…を設置し、これら４本の柱３；３…の上部において、四角形の互いに対向する一対の辺を形成するように各第１送風機群１Ａ；１Ｂを設ける。当該第１送風機群１Ａ；１Ｂは、複数の第１送風機１；１…を設置可能に構成された設置部１Ｃに複数の第１送風機１；１…が設置されて構成される。設置部１Ｃとしては、例えば、横一列に複数の第１送風機１；１…を並べて設置できるように構成された設置フレームを用いればよい。
即ち、４本の柱３；３…の上部において、四角形の互いに対向する一対の辺のうちの一方の辺を形成するように一方の第１送風機群１Ａを設けるとともに、四角形の互いに対向する一対の辺のうちの他方の辺を形成するように他方の第１送風機群１Ｂを設ける。この際、一方の第１送風機群１Ａの各第１送風機１；１…の送風方向１Ｆと他方の第１送風機群１Ｂの各第１送風機１；１…の送風方向１Ｆとが所定の角度α＝１８０°−２θ°で交差するように設定される（図１参照）。
【００１１】
所定角度θは、例えば３０°〜６０°程度の範囲に設定することが好ましい。
図１に示すように、所定角度θは、大きくするほど、互いに向かい合う各送風機１；１から送風される風の送風方向ベクトルＦ１；Ｆ１の合成ベクトル１Ｍが大きくなるので、雨を上方に舞い上がらせる効果が高くなると考えられるが、一方で、所定角度θが大きくなるほど、互いに向かい合う各送風機１；１から送風される風が衝突する部位１Ｅに届くまでの距離Ｙが長くなるため、送風機１として高出力のものが必要になると考えられる。
従って、互いに向かい合う各送風機１；１の対向間隔が短い場合には、所定角度θを大きくすることが好ましく、互いに向かい合う各送風機１；１の対向間隔が長い場合には、所定角度θを小さくすることが好ましい。
【００１２】
さらに、図２に示すように、４本の柱３；３…の上部において、四角形の残りの一対の辺（残りの二辺）のうちの一方の一辺を形成するように上記各第１送風機群１Ａ；１Ｂの端部側の上面に掛け渡される第２送風機群２Ａ（図２に実線で図示）を設けるか、あるいは、上記各第１送風機群１Ａ；１Ｂの中央部側の上面に掛け渡される第２送風機群２Ａ（図２に一点鎖線で図示）を設ける。
第２送風機群２Ａは、第１送風機群１Ａ；１Ｂと同様に、複数の第２送風機２；２…を設置可能に構成された上記設置部１Ｃと同様な設置部２Ｃに複数の第２送風機２；２…が設置されて構成される。
この場合、第２送風機群２Ａからの風が、一方の第１送風機群１Ａからの風と他方の第１送風機群１Ｂからの風とが衝突（交差）する部位１Ｅ及び当該部位１Ｅの近傍に送風されるように、第２送風機群２Ａの送風方向を設定する。
尚、上記各第１送風機群１Ａ；１Ｂの中央部側の上面に第２送風機群２Ａを掛け渡すように設ける場合、２つの第２送風機群２Ａ；２Ａを背中合わせにして設ける（図２参照）。
【００１３】
上述した雨吹き飛ばし方法及び雨吹き飛ばし装置によれば、互いに斜め上向きに対向する一方の第１送風機群１Ａと他方の第１送風機群１Ｂとを設け、一方の第１送風機群１Ａからの風と他方の第１送風機群１Ｂからの風とを衝突させることで空気と雨とを掻き回しながら舞い上がらせて雨粒を小さくしてから当該小さくした雨粒に第２送風機群２Ａからの風を衝突させて雨粒を横方向に飛ばすので、互いに向かい合う一方の第１送風機群１Ａと他方の第１送風機群１Ｂと間の下方に位置される雨を落下させたくない領域Ｘに雨が落下するのを効果的に抑制することができるようになる。また、送風機として市販の一般的な送風機を用いればよいので、経済的である。
即ち、雨が所定の領域に落下することを抑制するために雨を所定の領域外に効果的に吹き飛ばすことが可能で経済的な雨吹き飛ばし方法及び雨吹き飛ばし装置を実現できる。
【００１４】
次に、雨天時においてコンクリート打設現場でのコンクリート打設作業を可能とするために上述した雨吹き飛ばし方法を適用した雨吹き飛ばし装置について説明する。
即ち、建設途中の建物の一定領域での雨天時においてのコンクリート打設作業を可能とするために、建設途中の建物の柱配筋３０の上部に上述した雨吹き飛ばし装置を構築する。
【００１５】
尚、図示を省略するが、地上面又は下層床面より立設される建設途中の建物の柱配筋３０は、複数の主筋が完成した場合に四角柱となる柱の４辺に沿って所定の間隔を隔てて並ぶように設けられ、かつ、これら主筋を取り囲む帯筋が主筋の延長方向に沿って所定の間隔を隔てて複数設けられた構成である。
【００１６】
例えば、図３に示すように、複数の柱配筋３０；３０…で囲まれた梁間方向３スパン桁行方向２スパン分の床領域に雨天時においてコンクリート打設作業を行う場合の雨吹き飛ばし装置について説明する。尚、スパンとは、互いに隣り合う各柱配筋３０；３０の柱芯間の間隔のことである。梁間方向３スパン桁行方向２スパンの場合、真上から見て、建物の桁行方向Ｄ（建物の長辺方向）に沿って柱配筋３０が等間隔に３本並ぶように設けられた柱配筋列が、建物の梁間方向Ｅ（建物の短辺方向）に沿って等間隔に４列設けられた構成である。以下、柱配筋３０の位置を特定する場合、図３に示す柱配筋３０Ａを基準として、桁行方向○列目梁間方向○列目と示して特定する。
【００１７】
桁行方向１列目梁間方向１列目に位置する柱配筋３０Ａの上端と桁行方向１列目梁間方向２列目に位置する柱配筋３０Ｂの上端とに第１送風機群１Ａが掛け渡されるように設けられる。桁行方向２列目梁間方向１列目に位置する柱配筋３０Ｃの上端と桁行方向２列目梁間方向２列目に位置する柱配筋３０Ｄの上端とに第１送風機群１Ｂと第１送風機群１Ａとが背中合わせの状態で掛け渡されるように設けられる。桁行方向３列目梁間方向１列目に位置する柱配筋３０Ｅの上端と桁行方向３列目梁間方向２列目に位置する柱配筋３０Ｆの上端とに第１送風機群１Ｂが掛け渡されるように設けられる。
さらに、桁行方向１列目梁間方向３列目に位置する柱配筋３０Ｇの上端と桁行方向１列目梁間方向４列目に位置する柱配筋３０Ｈの上端とに第１送風機群１Ａが掛け渡されるように設けられる。桁行方向２列目梁間方向３列目に位置する柱配筋３０Ｉの上端と桁行方向２列目梁間方向４列目に位置する柱配筋３０Ｊの上端とに第１送風機群１Ｂと第１送風機群１Ａとが背中合わせの状態で掛け渡されるように設けられる。桁行方向３列目梁間方向３列目に位置する柱配筋３０Ｋの上端と桁行方向３列目梁間方向４列目に位置する柱配筋３０Ｌの上端とに第１送風機群１Ｂが掛け渡されるように設けられる。
【００１８】
次に、梁間方向２列目に位置する柱配筋３０Ｂ；３０Ｄ；３０Ｆの上部に位置する第１送風機群１Ａ；第１送風機群１Ｂ；第１送風機群１Ａ；第１送風機群１Ｂの上面における端部（梁間方向中央側に近い端部）に掛け渡されるように第２送風機群２Ａが設けられる。また、梁間方向３列目に位置する柱配筋３０Ｇ；３０Ｉ；３０Ｋの上部に位置する第１送風機群１Ａ；第１送風機群１Ｂ；第１送風機群１Ａ；第１送風機群１Ｂの上面における端部（梁間方向中央側に近い端部）に掛け渡されるように第２送風機群２Ａが設けられる。
【００１９】
さらに、柱配筋３０Ｂの上部に位置する第２送風機群２Ａの上面における端部と柱配筋３０Ｇの上部に位置する第２送風機群２Ａの上面における端部とに掛け渡されるように第１送風機群１Ａが設けられる。柱配筋３０Ｄの上部に位置する第２送風機群２Ａの上面における端部と柱配筋３０Ｉの上部に位置する第２送風機群２Ａの上面における端部とに掛け渡されるように第１送風機群１Ｂと第１送風機群１Ａとが背中合わせの状態で設けられる。柱配筋３０Ｆの上部に位置する第２送風機群２Ａの上面における端部と柱配筋３０Ｋの上部に位置する第２送風機群２Ａの上面における端部とに掛け渡されるように第１送風機群１Ｂが設けられる。
【００２０】
最後に、柱配筋３０Ｂの上部と柱配筋３０Ｇの上部とに掛け渡されるように設けられた第１送風機群１Ａの上面における梁間方向中央部と、柱配筋３０Ｄの上部と柱配筋３０Ｉの上部とに掛け渡されるように設けられた第１送風機群１Ｂ；１Ａの上面における梁間方向中央部と、柱配筋３０Ｆの上部と柱配筋３０Ｋの上部とに掛け渡されるように設けられた第１送風機群１Ｂの上面における梁間方向中央部と、に掛け渡されるように、第２送風機群２Ａと第２送風機群２Ａとが背中合わせの状態で設けられる。
【００２１】
尚、第１送風機群１Ａ；１Ｂは、設置部１Ｃが図外の取付具を介して柱配筋３０の上端に取付けられ、また、第２送風機群２Ａは、設置部２Ｃが図外の取付具を介して第１送風機群１Ａ；１Ｂの設置部１Ｃに取付けられる。
また、地上において、設置部１Ｃに横一列に複数の第１送風機１；１…を並べて設置することで第１送風機群１Ａ；１Ｂを組み立てるとともに、設置部２Ｃに横一列に複数の第２送風機２；２…を並べて設置することで第２送風機群２Ａを組み立てた後に、これら第１送風機群１Ａ；１Ｂ、第２送風機群２Ａをクレーン等により持ち上げて柱配筋３０の上部に設置すればよい。
【００２２】
以上のように構成された雨吹き飛ばし装置によれば、第１送風機群１Ｂ；１Ａの第１送風機１；１…及び第２送風機群２Ａの第２送風機２；２…を駆動させることにより、梁間方向中央部において互いに向かい合う各送風機１；１からの風が衝突することで空気を掻き回しながら空気及び雨粒を舞い上がらせて雨粒を小さくするとともに、当該小さくなった雨粒を梁間方向中央部で背中合わせに配置された各第２送風機群２Ａの第２送風機２；２…のからの風で梁間方向両端部方向に吹き飛ばす。
さらに、梁間方向の両方の端部側において互いに向かい合う各送風機１；１からの風が衝突することで空気を掻き回しながら空気及び雨粒を舞い上がらせて雨粒を小さくするとともに、当該小さくなった雨粒、及び、梁間方向中央部で背中合わせに配置された各第２送風機群２Ａにより梁間方向両端部方向に吹き飛ばされてきた雨粒を、梁間方向２列目に位置する柱配筋３０Ｂ；３０Ｄ；３０Ｆの上部及び梁間方向２列目に位置する柱配筋３０Ｇ；３０Ｉ；３０Ｋの上部に設置された各第２送風機群２Ａの第２送風機２；２…からの風でさらに梁間方向両端部方向に吹き飛ばす。
【００２３】
即ち、図４に示すように、梁間方向中央部において互いに向かい合う第１送風機群１Ａ；１Ｂの各送風機１；１からの風が衝突することで小さく砕かれた雨粒Ｔ１；Ｔ１が梁間方向中央に設置された２送風機群２Ａの第２送風機２；２…の風により梁間方向両端部方向に吹き飛ばされるとともに、梁間方向の両方の端部側に落下し、この梁間方向中央部側から梁間方向の両方の端部側に吹き飛ばされてくる雨粒と梁間方向の両方の端部側に降ってくる雨粒とが梁間方向端部側において互いに向かい合う各送風機１；１からの風が衝突することで小さく砕かれた雨粒Ｔ２；Ｔ２になった後に、梁間方向２列目に位置する柱配筋３０Ｂ；３０Ｄ；３０Ｆの上部及び梁間方向２列目に位置する柱配筋３０Ｇ；３０Ｉ；３０Ｋの上部に設置された各第２送風機群２Ａの第２送風機２；２…からの風でさらに梁間方向両端に吹き飛ばされることで、複数の柱配筋３０；３０…で囲まれた梁間方向３スパン桁行方向２スパン分の床領域に雨が落下しないようになり、雨天時において当該床領域にコンクリート打設作業を行うことが可能となる。即ち、コンクリートに雨が混入することを防止できて、コンクリートの性能を劣化させることなく、コンクリート打設作業を行うことが可能となる。また、雨天時において、柱配筋３０の下部側にコンクリートを打設する作業を広い範囲で行うことが可能となり、雨天による施工期間の遅れを抑制できるようになる。
【００２４】
尚、梁間方向両端に位置する柱配筋３０Ａ；３０Ｃ；３０Ｅの外側面、及び、柱配筋３０Ｈ；３０Ｊ；３０Ｌの外側面に、シート４０を張って、梁間方向両端に吹き飛ばされる雨粒がコンクリート打設現場の周囲に飛び散らないようにすることが好ましい。この場合、シート４０としては、吸水性能の優れたシートを用いることが好ましい。
【００２５】
尚、実施形態では、雨吹き飛ばし方法を適用した雨吹き飛ばし装置を雨天時のコンクリート打設作業時に使用する例を示したが、本発明の雨吹き飛ばし方法を適用した雨吹き飛ばし装置は、屋外に設けられたエスカレータ、通路、その他の様々な場所に設置して雨を吹き飛ばすような場合に使用したり、夏季における熱中症対策にも使用可能である。
【符号の説明】
【００２６】
１  第１送風機、１Ａ；１Ｂ  第１送風機群、２  第２送風機、２Ａ  第２送風機群、３０  柱配筋、Ｘ  雨を落下させたくない領域。
【図１】
2017210727.tif 000003
【図２】
2017210727.tif 000004
【図３】
2017210727.tif 000005
【図４】
2017210727.tif 000006